(57)【要約】【課題】稲作に害するジャンボタニシ（以下タニシと略称）の捕獲器、特に水田のあちこちに散在のタニシをその場で捕獲出来る携行式の捕獲器に関する発明である。【解決手段】本捕獲器１は、タニシや餌等をすくい取る為の採取部４、タニシより大きな物の篩分け除去用のセパレート部５、篩下へ落下のタニシと泥砂混合物を引続き篩分けして残ったタニシのみを保持する篩と保持の両機能を持った保持部３、そのタニシ排出用の取出し部８、すくう時や篩分け時の飛び出しやこぼれ防止用の側面囲い部６と転出防止部７、持運びや作業の容易化の為の柄９と握部１０等を、枠２（２Ａ〜２Ｄ）に付設し形成。採取された物はセパレート部５と保持部３とで二段連続篩分けされ、タニシのみが残り保持部３に保持されるので、不要な物の分別操作が大変容易である。また、シンプル構造で軽量なので持運びも大変やり易く、無農薬栽培には好適なタニシ除去具である。【選択図】図１
2010099057.tif 000002
【特許請求の範囲】
【請求項１】
枠２に保持部３、採取部４、セパレート部５、柄９を設け捕獲器１を形成するに際し、ジャンボタニシ等のすくい取り用としての採取部４を該枠２の外周部に設ける事、及び該ジャンボタニシよりも大きいものは通さない篩機能を有するセパレート部５を該枠２で囲まれた内側開口部に設ける事、及び該ジャンボタニシよりも小さいものは通す篩機能と篩分けられ残った該ジャンボタニシを保持する機能とを有する保持部３を該セパレート部５の下方部に設ける事、及び該捕獲器１の作業性や携行性向上の為の柄９を設ける事を特徴としたジャンボタニシの捕獲器。
【請求項２】
上記枠２の上方部に側面囲い部６を設け、すくい取ったジャンボタニシ等が該枠２から外へこぼれ落ちない様にした事を特徴とする請求項１に記載のジャンボタニシの捕獲器。
【請求項３】
上記枠２で囲まれた内側の開口部に転出防止部７を設け、保持部３に保持のジャンボタニシがこぼれ出ない様にした事を特徴とする請求項１及び２に記載のジャンボタニシの捕獲器。
【請求項４】
上記保持部３に保持のジャンボタニシを取り出す為の取出し部８を該保持部３に設ける事を特徴とした請求項１から３に記載のジャンボタニシの捕獲器。
【発明の詳細な説明】
【技術分野】
【０００１】  本発明は、稲作に多大な被害を与えるジャンボタニシを、駆除剤等を使うことなく捕獲除去する為の捕獲器に関するものである。
【背景技術】
【０００２】  水田のジャンボタニシ駆除方法には、手で捕獲し駆除する方法や駆除剤を使用する方法、捕獲器を使用する方法などがある。手で捕獲し駆除する方法は大変な労力を要するため、駆除剤使用や捕獲器使用などの方法が特許文献１〜７の様に提案されている。【０００３】  しかし、特許文献１〜３に提案の駆除剤使用の方法では、水質汚染、環境問題、水田の生き物への影響、更には使用すれば無農薬栽培にならない等の問題がある。特許文献４〜７に提案の捕獲器使用の方法なら農薬を使用せず無農薬栽培となるが、残念ながらその捕獲効率や使い勝手等の面でまだ改良すべき点があり汎用されるまでには至っていない。
したがって、本発明はその捕獲器の改良について提案するものである。【０００４】
【特許文献１】特開平１０−２５１１０９
【特許文献２】特開２００５−６０３３９
【特許文献３】特開２００６−３６７４５
【特許文献４】実開昭６３−１８０６２
【特許文献５】特開２００１−１５７５４４
【特許文献６】実用新案登録３１０３３１７
【特許文献７】実用新案登録３１１６９８３
【発明の開示】
【発明が解決しようとする課題】
【０００５】  駆除剤等の農薬類を使用しない無農薬栽培の時、ジャンボタニシの被害から稲を守るためには、上述の様にジャンボタニシを手で捕まえたり捕獲器を使ったりして除去する。しかし、手での捕獲は大変な労力を要する。捕獲器使用の方法については特許文献４〜７の方法が提案されている。【０００６】  ただ、これらの提案されている方法はどれも定置式、即ち捕獲器をしかるべき場所に設置し、そこへ寄って来てその中に入ったジャンボタニシを捕獲する方法である。ジャンボタニシを探して見つけて、その見つけた所で捕獲器を使って捕獲するという移動式ではない。こうした使い方も出来ないではないが、持ち歩くのも不便だし、また見つけたジャンボタニシをその場で手軽に捕まえるには使い勝手が良くない。持ち歩く代わりに捕獲器を水田のあちこちに設置するのは費用等の面でも軽視できない。【０００７】  したがって本発明は、水田のあちこちに散在しているジャンボタニシを捕獲できる捕獲器、即ち、容易に持ち歩き出来て、ジャンボタニシを見つけたらその場ですぐ捕獲に使用出来る簡便な携行式の捕獲器の提案を目的としたものである。
【課題を解決するための手段】
【０００８】  本発明は、上記課題を次の様な方法で解決した。即ち、枠２に保持部３、採取部４、セパレート部５、柄９を設け捕獲器１を形成するに際し、ジャンボタニシ等のすくい取り用としての採取部４を枠２の外周部に設ける事、及びジャンボタニシよりも大きいものは通さない篩機能を有するセパレート部５を枠２で囲まれた内側開口部に設ける事、及びジャンボタニシよりも小さいものは通す篩機能と篩分けられ残ったジャンボタニシを保持する機能とを有する保持部３をセパレート部５の下方部に設ける事、及び捕獲器１の作業性や携行性向上の為の柄９を設ける方法により解決した。【０００９】  更に、上記枠２の上方部に側面囲い部６を設け、すくい取ったジャンボタニシ等がその枠２から外へこぼれ落ちない様にした方法や、その枠２で囲まれた内側の開口部に転出防止部７を設け、保持部３に保持のジャンボタニシがこぼれ出ない様にした方法、更には、上記保持部３に保持のジャンボタニシを取出す為の取出し部８を保持部３に設ける方法も用い解決した。
【発明の効果】
【００１０】  上記課題解決のために、二段階で篩分けする方法や採取部、保持部、柄、その他の工夫を行った結果、駆除剤類を使用しない無農薬栽培に大きく貢献する次の様な成果が得られた。【００１１】  上述の工夫により、採取や篩分け、保持、取出し等が大変簡便に出来る様になった。更には、ネットやピアノ線などを主に使い制作可能なので軽量であり、また柄も取り付けたので持ち運びも大変楽で携行性にも優れたものとなった。【００１２】  したがって、水田を本捕獲器を持って見回りし、ジャンボタニシを見つけたらその場で採取部ですくい取れば容易に捕獲出来、その上、その中に混在のものでジャンボタニシより大きいものや小さいものは簡単に篩分け分別でき水田に返せるので、捕獲器にはジャンボタニシだけが残り持ち運びも大変楽である。【００１３】  本捕獲器は持ち運び出来るのでジャンボタニシを見つけ次第すくい取れるが、水田の中に点在しているものを見つけ歩いては能率が悪い。一方、ジャンボタニシは人参、馬鈴薯、甘藷、野菜、果物等が好物で、それらの好物を餌として水田のあちこちに置いておけばそれらに群がり集まって来る。そこで、その集まってきたところを本捕獲器ですくい取ると大変能率が良く、この餌仕掛け方法との併用により本捕獲器の作業効率が更に一層向上した。【００１４】  本捕獲器は携行タイプであるので、保持部に捕獲のジャンボタニシの処分はすくい取った都度やるのではなく、採取を何回かやって保持部４にジャンボタニシを溜めてから処分した方が作業効率の面からは好ましい。この複数回の採取を考慮し、採取・篩分け・保持・こぼれや転出防止・取出し等の操作がやり易いように本捕獲器は工夫してあり、大変使い易いものである。
【発明を実施するための最良の形態】
【００１５】  本発明の捕獲器１は、持ち歩きながら見つけたジャンボタニシをそこで捕まえる携行タイプであり、その構成としては、枠２とそれに付設のジャンボタニシや餌類、泥砂類等をすくい取る為の採取部４、及びすくい取ったジャンボタニシと餌類とを篩分けするセパレート部５、更に泥砂類を篩分け分離した後にジャンボタニシ１５のみを保持する保持部３、及び持ち歩きや採取、分別作業等をやり易くする為の柄９等から成るものであり、更には、これらに側面囲い部６、転出防止部７、取出し部８等を設ける事により発明効果が一層顕著なものとなった。【００１６】  枠２としては、金属やプラスチック等の剛性ある材料、あるいはこれらを使った複合材等を使用して円形状や多角形状あるいはこれらの組合せ形状をした枠を形成し、これに採取部４、保持部３、セパレート部５、側面囲い部６、転出防止部７、柄９等を設け捕獲器１を構成させる。【００１７】  採取部４は、この枠２の外側へ迫り出した形で設ける。ジャンボタニシ等をすくう時には、採取部４を水田の中へ差し込むようにしてすくう為に結構抵抗がある。その為、それにより壊れたり変形したりしない強さの材料、例えば金属やプラスチック等、或はこれらを使った複合材等が好適である。形状としては、例えばシート状のものやネット状のものなど、更にはピアノ線等の線状物を並行状等に並べたものなど好適である。【００１８】  採取部４ですくい取ったものの中には、ジャンボタニシ１５の他に水や泥砂類、更にはジャンボタニシをおびき寄せる為に仕掛けておいた餌類１６等と、いろいろのものが混在している。そこで、この混在物を篩分けし、捕獲器１にはジャンボタニシ１５のみが残る様に工夫した。即ち、まずジャンボタニシ１５より大きいものを分離し、その後でジャンボタニシ１５より小さいものを分離する二段篩分け方法を工夫した。【００１９】  ジャンボタニシ１５より大きいものは主として餌類１６（例えば、こぶしの大きさ程度の人参、馬鈴薯、甘藷、野菜、果物等）である。それを篩分けする為のセパレート部５を、枠２の内側の開口部に設ける。即ち、ジャンボタニシ１５やそれより小さいものは通すが、それより大きいものは通さない篩の役目をするもの、例えばそうした大きさの穴を有するシート類やネット類、あるいはそうした間隔で並行状等に並べた線状物等を設けてセパレート部５とした。【００２０】  採取部４ですくい取ったものはまずこのセパレート部５で篩分けし、セパレート部５の上に残った餌類１６は水田へ返す。一方、セパレート部５を通過したものがそのまま水田へ落下しない様に、その通過物を受け止めてくれるものとしてセパレート部５の下方部に保持部３を設ける。ただ、水や泥砂類は不要物なので、保持部３の構造を、ジャンボタニシ１５は通さないがそれより小さいものは通す様な構造に、穴開きシートやネット状物、線状物等を使用し形成する。【００２１】  この様にセパレート部５と保持部３とを上下二段状に設け、２回の篩分け分別が同時連続的に出来る様にした。この二段篩分け方法の工夫により、保持部３には、即ち捕獲器１にはジャンボタニシ１５だけが残り、携行時などに不要な物（餌類や水、泥砂類等）を持ち歩く必要がなくなった。【００２２】  なお、捕獲したジャンボタニシ１５を廃棄や処分したい時などは、保持部３から取り出す必要がある。その取出し方としては、捕獲器１を傾けたり逆さまにしたりしてセパレート部５から排出しても出来るが、手間が掛かるし、時にはセパレート部５を損傷する時もある。その為、保持部３に開閉自在の排出部分を取出し部８として設け、ジャンボタニシ１５の取り出しが簡単に出来る様にする。【００２３】  ジャンボタニシ１５の捕獲作業は水田の中や周囲で行うので、その作業や持ち運び等がやり易いように柄９を取り付ける。その形状や長さ、取付位置等は、捕獲器１の形状や大きさ、作業者等に応じ使い易い様に設計や取り付けを行う。【００２４】  なお、せっかく採取部４でジャンボタニシ１５や餌類１６をすくい取っても、捕獲器１の傾け方や動かし方等の扱い方によっては、それらは枠２の外へ転がり出てしまう時がある。その防止の為に、枠２の上方周囲部分を囲むように、ネットや線状物、シート等を使用し側面囲い部６を形成する。【００２５】  また、保持部３に保持のジャンボタニシ１５は、捕獲器１を持ち歩いている時や別のジャンボタニシ類をすくい取る時等に、セパレート部５を通ってこぼれ出てしまう事がある。その防止のために、ネットや線状物、シート状物等を使用してジャンボタニシ１５を通さない転出防止部７を枠２の内側に設ける。その際、転出防止部７がセパレート部５とオーバーラップする場合には出来るだけ必要な範囲にとどめ、セパレート部５の機能に支障をきたさない様に留意する必要がある。
以下実施例にもとづき、本発明についてさらに説明する。
【実施例１】
【００２６】  本実施例は本発明捕獲器の１例を示すもので、図１から図５にその実施例図を示す。
図１は本発明捕獲器１の斜視図を、図２は正面図を、図３は左側面図を、図４は右側面図を示し、図５は正面図（図２）に示すＸ−Ｘ’視野での断面図である。【００２７】  まず、本発明捕獲器１の構成等について図１〜図５で説明する。捕獲器１は、主要構成部として枠２、保持部３、採取部４、セパレート部５、側面囲い部６、転出防止部７、取出部８、柄９等から成り、それらの狙いや機能等については前述（［００１５］〜［００２５］）の通りである。【００２８】  枠２は、図１及び図５に示す様な枠２Ａ、２Ｂ、２Ｃ、２Ｄで囲まれた四角形状に、ステンレス棒にて形成し、その左側の枠２Ａの外側には、ピアノ線１３Ａを並行状に並べ熊ノ手形状に形成した採取部４を付設する。ピアノ線１３Ａは、少なくともジャンボタニシ１５が落下しない間隔で設ける。更に、枠２Ａ、２Ｂ、２Ｃ、２Ｄで形成の枠２の内側の開口部には、ジャンボタニシより大きいものは通さない間隔でピアノ線１３Ｂを並行状に並べ設けてセパレート部５を形成する。【００２９】  セパレート部５の下方部には、ジャンボタニシは通さない目開きのステンレスのネット１４Ａを使用し、逆かまぼこ形状の保持部３を枠２（２Ａ、２Ｂ、２Ｃ、２Ｄ）に付設する。その保持部３の約半分位には、ジャンボタニシ排出用の取出し部８をステンレスのネット１４Ａを使用し設ける。取出し部８は、採取部４とは反対側の下方部に、蝶番１２で開閉自在として取り付ける。【００３０】  また、側面囲い部６を、枠２の内の採取部４を付設している枠２Ａ以外の枠、即ち枠２Ｂ、２Ｃ、２Ｄの上方部分に、ステンレスのネット１４Ｂを使用し付設形成する。【００３１】  さらに、転出防止部７を、採取部４付設の枠２Ａの右側（採取部４とは反対側の内側部分、図１及び図５参照）に、ピアノ線１３Ｃを使用し形成する。ピアノ線１３Ｃは、セパレート部５を形成のピアノ線１３Ｂに直行状に、ジャンボタニシが通れない間隔で並行状に設ける。したがって、転出防止部７はセパレート部５とオーバーラップする状態となる為、それがセパレート部５の左側四分の一程度となる様にした。【００３２】  柄９は、ピアノ線を使用し、四角形状の枠２の４つの隅から立ち上がる様に設け、その上端部には手で握り易い様に握り部１０を設けた。
以上の様にして形成の捕獲器１の使い方について、実施例２にて以下説明する。
【実施例２】
【００３３】  本実施例では、実施例１の捕獲器１の使い方について図１及び図６にて説明する。図１は実施例１の捕獲器１の斜視図、図６は同捕獲器１にジャンボタニシ１５を捕獲し保持中の状態を示す正面図である。【００３４】  ジャンボタニシは通常は水田の中に点在しているので、それを見つけて廻り見つけ次第捕獲してもよいが、あまり効率の良い方法ではない。そのため、畔道近くの水田の中にこぶしの大きさ程度の餌類１６を置いておく。そうすると、ジャンボタニシは仕掛けられた好物のそれらに群がって来るので、その集まっている所を本発明の捕獲器ですくい取ると大変効率よく捕獲出来る。【００３５】  捕獲は、柄９や握り部１０を手で握り、左側の採取部４を水田の方へ傾けて水中に入れ、集まっているジャンボタニシを餌類と一緒に採取部４の上にすくい取る。その後、捕獲器１を水平状態に戻してやり、あるいは採取部４の方を上方へ傾けたりして、捕獲したものをセパレート部５の方へ移動させる。さらに捕獲器１を持ち上げ揺すったりあるいは水中で振って洗ったりすれば、すくい取ったものはセパレート部５及び保持部３で篩分けられ、泥砂等は水田に落下し、ジャンボタニシ１５と餌類１６とが図６の様に残る。【００３６】  餌類１６はセパレート部５のピアノ線１３Ｂの上に残るので、これは捕獲器１を傾けて採取部４の方から水田へ戻す。ジャンボタニシ１５は保持部３の中なので、それを処分したい時や保持部３を空にしたい時等には、取出し部８から排出する。その時は、図６でツマミ１１を矢印Ｙ方向へ引けば、蝶番１２により取出し部８が矢印Ｚ方向へ動いて開き、その開口部からジャンボタニシ１５が下方へ落下排出される。【００３７】  なお、保持部３にジャンボタニシ１５を入れる余裕がある時は、上述の要領で採取を繰り返せば保持部３が一杯になるまでは採取できる。したがって、水田のあちこちに仕掛けた餌類に集まっているジャンボタニシを、保持部３が一杯になるまでは移動しながらすくい取る事が出来る。その持ち運びも、柄９や握り部１０を持てば大変容易に携行できる。
【実施例３】
【００３８】  本実施例では、実施例１の捕獲器において、柄９の取り付けと形状とを変えたもので、それに伴い側面囲い部６の形状も変更した実施例である。それ以外は実施例１と同様である。図７に上記変更をした捕獲器１の斜視図を示す。【００３９】  実施例１では、柄９は枠２の四隅から立ち上げる様に上方部に取り付けたが、本実施例では、図７に示す様に、枠２Ｄの両端部に水平状に取り付けた。それに伴い、枠２Ｂと２Ｄの上方部に設けた側面囲い部６の上端部の形状を、デザインや安全性の面から丸味を帯びた形状に変更した。【００４０】  柄９は、水平状であって、長めで少し斜め上向きになる様に取り付けた。この様に水平状で長めにしておけば、畔道からちょっと離れた位置のジャンボタニシでもすくう事ができ便利である。柄９の取付け方や形状等は実施例１や本実施例の記載例に限定されるものではなく、捕獲器１の大きさや形状、使い方等に応じ使い易い様にいろいろと変える事が出来るものである。【００４１】  柄９は、長くした場合、使う時は便利でも収納や携行の時に邪魔になる事もある。そうした場合には、柄９を公知の方法等で伸縮自在あるいは脱着自在等の長さ調節可能な様にしておけば使い易い。また、柄９が長くなると、取出し部８開閉時にそのツマミ１１を手で直接操作し難くなる事もある。そうした場合には、取出し部８の開閉を公知の方法等、例えばワイヤ等での遠隔操作で出来る様に設計し、その操作部を柄９の手元部等に設ける様にしておけば使い易い。【００４２】  本実施例の捕獲器１の使い方等は、実施例１の捕獲器１と同様であり、実施例２での説明に準じ柄９を握り採取部４の方から水田へ入れてジャンボタニシ等をすくう。その後は、実施例２と同様の要領で篩分け等を行いジャンボタニシを捕獲除去する。その際の使い勝手等は実施例２と同様で使い易く便利である。
【図面の簡単な説明】
【００４３】
【図１】実施例１に記載の本発明捕獲器の斜視図。
【図２】同上捕獲器の正面図。
【図３】同上捕獲器の左側面図。
【図４】同上捕獲器の右側面図。
【図５】図２の正面図に示すＸ−Ｘ’視野断面図。
【図６】同上捕獲器にてジャンボタニシを捕獲保持中の状態を示す正面図。
【図７】実施例３に記載の本発明捕獲器の斜視図。
【符号の説明】
【００４４】１、    捕獲器
２、２Ａ、２Ｂ、２Ｃ、２Ｄ、  枠
３、    保持部
４、    採取部
５、    セパレート部
６、    側面囲い部
７、    転出防止部
８、    取出し部
９、    柄
１０、  握り部
１１、  ツマミ
１２、  蝶番
１３、１３Ａ、１３Ｂ、１３Ｃ、  ピアノ線
１４、１４Ａ、１４Ｂ、          ネット
１５、  ジャンボタニシ
１６、  餌類
【図１】
2010099057.tif 000003
【図２】
2010099057.tif 000004
【図３】
2010099057.tif 000005
【図４】
2010099057.tif 000006
【図５】
2010099057.tif 000007
【図６】
2010099057.tif 000008
【図７】
2010099057.tif 000009